(57)【特許請求の範囲】
【請求項１】
地理的に互いに距離を置く複数の地域のそれぞれ特定した場所に個別に配置され、該当する地域で通信を行う際に独自に使用する周波数としての特定地域周波数を表わした特定地域周波数情報を、通信端末が前記複数の地域で共通して受信可能な共通無線周波数を用いて発信する情報提供端末と、
前記共通無線周波数を用いて前記特定地域周波数情報を受信する特定地域周波数情報受信手段と、この特定地域周波数情報受信手段が前記特定地域周波数情報を受信したとき、当該地域で通信を行う周波数を前記特定地域周波数情報で特定される周波数に設定する第１の周波数設定手段と、各地域で過去に通信に成功したそれぞれの周波数を記憶する周波数履歴記憶手段と、前記第１の周波数設定手段による周波数の設定によってはその地域での通信に成功しないとき通信が成功するまで前記周波数履歴記憶手段に記憶されたそれぞれの周波数に設定を変更する第２の周波数設定手段を備えた携帯端末装置
とを具備することを特徴とする携帯端末通信システム。
【請求項２】
前記携帯端末装置は、前記第２の周波数設定手段の設定によってはその地域での通信に成功しないとき、前記複数の地域で使用する可能性のある全周波数を対象にしてその地域での通信のための周波数の設定を試みる第３の周波数設定手段を更に具備することを特徴とする請求項１記載の携帯端末通信システム。
【請求項３】
前記情報提供端末は、短距離で携帯端末装置と通信する短距離無線通信で前記特定地域周波数情報を発信することを特徴とする請求項１記載の携帯端末通信システム。
【請求項４】
前記情報提供端末は、前記複数の地域と前記特定地域周波数を対応付けて格納したテーブルを具備することを特徴とする請求項１記載の携帯端末通信システム。
【発明の詳細な説明】
【技術分野】
【０００１】
本発明は、携帯電話機、ＰＨＳ、通信機能を備えたＰＤＡ等の携帯端末装置を使用した携帯端末通信システムに関する。
【背景技術】
【０００２】
海外で携帯電話機を使用するためのサービスとして国際ローミング（international roaming）が存在する。国際ローミングとは、契約している通信事業者のサービスを、海外の提携事業者の設備を利用して受けられるようにするサービスである。
【０００３】
ところで携帯端末装置を国際ローミング等で広い地理的範囲で使用しようとすると、国や地域で通信に使用する周波数帯域が異なる場合がある。たとえばＧＳＭ（Global System for Mobile Communications）ネットワークと呼ばれる通信方式では、搬送波として使用する周波数帯域が、国によって８５０ＭＨｚ、９００ＭＨｚ、１８００ＭＨｚ、１９００ＭＨｚに分かれている。したがって、このような通信方式の携帯端末装置を、前回使用した国あるいは地域（以下、適宜、地域と略称する）と異なる地域で使用する場合には、最初に電源を投入した時点で今回使用する地域を選択して装置側に使用する搬送波の周波数の設定を行わせる必要がある。このような地域の入力を行わず、前回使用した搬送周波数が使用できない場合、その携帯端末装置は使用の可能性のある全周波数帯域を、たとえば数百キャリアにわたってサーチし、使用できる周波数を選択するようにしている。このため、ユーザはサーチが終了するまで、たとえば数十秒というような比較的長期の時間、その携帯端末装置の使用を開始することができないという問題がある。
【０００４】
そこで、高速に搬送周波数のサーチを行う携帯電話機が提案されている（たとえば特許文献１参照）。この提案では、全周波数サーチ時に全帯域の電力分布を測定して、サーチ帯域の制限と順序付けを行うようにしている。
【特許文献１】特開２００３−３４８６４８号公報（第００２４段落、図３）。
【発明の開示】
【発明が解決しようとする課題】
【０００５】
この提案によれば、新たな地域に出向いた場合や、携帯電話機を購入後に最初に電源を投入した場合における現在地で使用できる搬送周波数を比較的早く検索することができる。しかしながら、この提案では、サーチのための前処理として、全帯域の電力分布を測定する処理と、サーチ帯域の制限と順序付けの処理を行っている。したがって、全周波数サーチに要する全体的な時間の減少を図れるとしても、全周波数サーチ時にユーザにある程度長い待機時間を強要することに変わりはない。
【０００６】
そこで本発明の目的は、全周波数サーチを行う場合を必要最小限にとどめ使用する周波数のサーチに要する時間を短縮することのできる携帯端末通信システムを提供することにある。
【課題を解決するための手段】
【０００７】
本発明では、（イ）地理的に互いに距離を置く複数の地域のそれぞれ特定した場所に個別に配置され、該当する地域で通信を行う際に独自に使用する周波数としての特定地域周波数を表わした特定地域周波数情報を、通信端末が前記した複数の地域で共通して受信可能な共通無線周波数を用いて発信する情報提供端末と、（ロ）前記した共通無線周波数を用いて前記した特定地域周波数情報を受信する特定地域周波数情報受信手段と、この特定地域周波数情報受信手段が前記した特定地域周波数情報を受信したとき、当該地域で通信を行う周波数を前記した特定地域周波数情報で特定される周波数に設定する第１の周波数設定手段と、各地域で過去に通信に成功したそれぞれの周波数を記憶する周波数履歴記憶手段と、前記した第１の周波数設定手段による周波数の設定によってはその地域での通信に成功しないとき通信が成功するまで前記した周波数履歴記憶手段に記憶されたそれぞれの周波数に設定を変更する第２の周波数設定手段を備えた携帯端末装置とを携帯端末通信システムに具備させる。
【発明の効果】
【００１５】
以上説明したように、本発明によれば携帯端末装置を使用しようとする地域でその携帯端末装置に割り当てられている周波数帯域に関する情報を取得することによって、全周波数帯サーチを行う手間を省くことができ、周波数サーチに要する時間を短縮することができるだけでなく、使用者があらかじめ携帯端末装置を使用する地域を選択する必要もない。このため、携帯端末装置の電源を投入してから実際に使用可能になるまで時間を大幅に短縮することができる。また、全周波数帯サーチを行う前に過去に使用した周波数を試してみることで、幾つかの地域を活動地域とするビジネスマン等にとっては一度使用した周波数を全周波数帯サーチで求める必要がなく、通信をより短時間に開始することができる。また、このために大規模な設備を必要とすることもない。
【発明を実施するための最良の形態】
【００１６】
以下実施例につき本発明を詳細に説明する。
【実施例１】
【００１７】
図１は本発明の第１の実施例における携帯端末装置として、携帯電話機の回路構成の概要を表わしたものである。この携帯電話機１１は、アンテナ１２に接続された送受信部１３と、この送受信部１３が送受信に使用する基準位相周波数を発生させる周波数発生器１４と、無線で短距離通信を行う短距離無線部１５と、携帯電話機１１の各部の制御を行う制御部１６を備えている。制御部１６は、ＣＰＵ（中央処理装置）２１を備えている。また、図示しない制御プログラムを格納したＲＯＭ（リード・オンリ・メモリ）２３と、各種の一時データを格納すると共に、それ以外の領域に短距離無線部取得情報記憶領域２４と、前回使用周波数記憶領域２５を配置したＲＡＭ（ランダム・アクセス・メモリ）２６を備えている。
【００１８】
送受信部１３は、携帯電話機としての通信を行うための信号処理を行う回路部分である。本実施例では、Ｗ−ＣＤＭＡ（Wideband Code Division Multiple Access）方式で通信を行うが、これ以外の通信方式であってもよい。短距離無線部１５は、たとえば非接触ＩＣ（Integrated Circuit）カードからなり、短距離通信を行う装置である。本実施例では所定の情報提供端末２８と通信することで、この携帯電話機１１が現在位置する地域等に関する情報を取得できるようになっている。取得した情報は、ＲＡＭ２６内の短距離無線部取得情報記憶領域２４に一時的に格納されるようになっている。情報提供端末２８は、たとえば空港や港あるいは陸路で国境を越える際の税関施設といったように、使用周波数を切り替える必要のある地域の窓口となる場所等に配置されている。
【００１９】
ところで、第１の実施例の携帯電話機１１のユーザは、国際ローミングを使用して使用周波数が異なるような他国に出かけたような場合に、到着した空港等の施設に設置されている情報提供端末２８を見つける。そして、この情報提供端末２８に携帯電話機１１を近づけて、短距離無線部１５でその地域の周波数帯域等に関する情報を取得する。情報提供端末２８と短距離無線部１５の間の通信を制御する制御部１６は、情報提供端末２８から得られた情報を短距離無線部取得情報記憶領域２４に格納することになる。
【００２０】
図２は、本実施例の携帯電話機の短距離無線部取得情報記憶領域および前回使用周波数記憶領域に対する情報の格納制御の様子を表わしたものである。携帯電話機１１のＣＰＵ２１は、短距離無線部１５から情報が取得されるか否か（ステップＳ１０１）と、ユーザによる通話が行われているときにこれが正常に終了するかどうか（ステップＳ１０２）の判別を常に行っている。短距離無線部１５から情報提供端末２８を通じて前記したように情報が取得された場合には（ステップＳ１０１：Ｙ）、その取得した情報を短距離無線部取得情報記憶領域２４に上書きする（ステップＳ１０３）。また、通話が正常に終了した場合、すなわち相手先と接続された後に通話が終了した場合には（ステップＳ１０２：Ｙ）、その通話で使用した周波数を前回使用周波数記憶領域２５に上書きする（ステップＳ１０４）。このようにして短距離無線部取得情報記憶領域２４および前回使用周波数記憶領域２５には、ユーザの最新の情報が格納されることになる。
【００２１】
図３は、本実施例の携帯電話機の電源を投入した際の通信処理の流れを示したものである。ユーザによって携帯電話機１１の電源が投入されると、図１に示した制御部１６内のＣＰＵ２１は、短距離無線部取得情報記憶領域２４から短距離無線部取得情報を読み出し（ステップＳ１２１）、その周波数で通信が可能であるかどうかをチェックする（ステップＳ１２２）。この結果、通信が可能であれば（Ｙ）、短距離無線部取得情報記憶領域２４から取得したその周波数を使用して携帯電話機１１の通信を開始する（ステップＳ１２３）。すなわち、たとえば海外旅行に行った先の空港で、短距離無線部１５から取得して保存した短距離無線部取得情報を使用することで、新たな地域における通信をスムーズに開始することができる。
【００２２】
一方、ステップＳ１２２で、短距離無線部取得情報記憶領域２４から取得した短距離無線部取得情報が使用可能でないと判別された場合には（Ｎ）、前回使用周波数記憶領域２５に格納されている前回の正常に通信が終了した周波数の読み出しが行われる（ステップＳ１２４）。そして、その周波数が今回の通信に使用可能であるかどうかがチェックされる（ステップＳ１２５）。これが使用可能であれば（Ｙ）、前回使用周波数記憶領域２５に格納されている周波数を使用して通信が行われる（ステップＳ１２６）。
【００２３】
これに対して、ステップＳ１２５で前回使用周波数記憶領域２５に格納されている周波数も通信に使用できないと判別された場合には（Ｎ）、その携帯電話機１１で通信の可能な全周波数のサーチが行われ、通信可能な周波数が見つかったらその周波数で通信が行われる（ステップＳ１２７）。このサーチ時には、ステップＳ１２２およびステップＳ１２５で使用した周波数を予め対象外とすることができる。たとえば、空港に降り立った後に自動車で他国までドライブし、このとき情報提供端末２８で最新の情報を取得しなかったような場合には、空港で情報提供端末２８から取得した情報に基づく通話のための周波数だけでなく、ステップＳ１２５で前回通話を成功させた周波数も使用できなくなる可能性がある。このような場合には、候補となる全周波数をサーチして通話を成功させる。
【００２４】
この後は、このサーチ結果が前回使用周波数記憶領域２５に上書きされる。したがって、通信のための周波数が異なる地域に移動しない限り、次の通話時には前回使用周波数記憶領域２５に格納されている周波数を使用して通信が迅速に可能になる。
【００２５】
図４は、本実施例の携帯電話機で地域ごとに異なる周波数帯域の受信信号を使用して検波出力を得る同期検波の原理を説明するためのものである。本実施例では２ＰＳＫ（Phase Shift Keying）変調を行った受信信号を検波する。２ＰＳＫ変調信号を受信する場合、アンテナ１２（図１）から入力する受信信号の周波数を２倍し、帯域通過フィルタで雑音成分を除去することによって搬送波が再生される。図示しない周波数分周回路で２分の１の周波数に戻す操作を行ってもよい。
【００２６】
今、受信信号４１をＳ（ｔ）とし、その搬送周波数をｆcとする。
このとき、送信信号Ｓ（ｔ）は次の（１）式で表わすことができる。
Ｓ（ｔ）＝ｃｏｓ（２πｆcｔ＋ａiπ）      ……（１）
ここで「ａiπ」は変調成分であり、「ａi」は送信データに対して次の関係にある。
ａi＝０（“１”を送信するとき）
ａi＝１（“０”を送信するとき）
【００２７】
同期検波では、送受信部１３内の乗算器４２に、図１に示した周波数発生器１４から（１）式で示した送信信号Ｓ（ｔ）と同一周波数成分を持つ基準位相信号４３を入力して乗算する。ここで基準位相信号４３は、次の（２）式で表わされる。
基準位相信号４３：  ｃｏｓ２πｆcｔ      ……（２）
【００２８】
乗算器４２の乗算結果４４は、三角関数の定理により、次の（３）式のように展開することができる。
乗算結果４４：  ｃｏｓ（２πｆcｔ＋ａiπ）×ｃｏｓ（２πｆcｔ）
＝（ｃｏｓ（２πｆcｔ）ｃｏｓａiπ−ｓｉｎ（２πｆcｔ）ｓｉｎａiπ）ｃｏｓ（２πｆcｔ）……（３）
【００２９】
ここで「ａi」が０または１であることに着目する。すると、（３）式における第２項は“０”となる。
更に、三角関数の定理によって、次の（４）式が求められる。
ｃｏｓ2（２πｆcｔ）ｃｏｓａiπ＝１／２×（ｃｏｓａiπ＋ｃｏｓ（４πｆcｔ））……（４）
【００３０】
したがって、乗算器４２の乗算結果４４をローパスフィルタ（ＬＰＦ）４５を通過させることで、（４）式の第２項の搬送波周波数が逓倍された成分が削除されて、係数を無視すると、変調成分である「ｃｏｓａiπ」を取り出すことができる。すなわち、ローパスフィルタ４５を用いて低周波成分としての直流成分を得ることで、変調成分を取り出して検波出力４６となる。
検波出力４６：  ｃｏｓａiπ      ……（５）
【００３１】
以上説明した原理で、受信信号４１の搬送波として使用されている周波数と同一周波数を周波数発生器１４で発生させ、これを受信信号４１と乗算することによって、搬送波に乗せられているデータを取り出すことができる。すなわち、周波数発生器１４で地域ごとの周波数を発生させることで、それぞれの地域での通信が可能になる。
【実施例２】
【００３２】
図５は本発明の第２の実施例における携帯端末装置として、携帯電話機の回路構成の概要を表わしたものである。図５で図１と同一部分には同一の符号を付しており、これらの説明を適宜省略する。第２の実施例の携帯電話機１１Ａは、アンテナ１２に接続された送受信部１３と、この送受信部１３が送受信に使用する基準位相周波数を発生させる周波数発生器１４と、短距離通信を行う短距離無線部１５と、携帯電話機１１Ａの各部の制御を行う制御部１６Ａを備えている。制御部１６Ａ内のＲＯＭ２３Ａには、図示しない制御プログラムが格納されると共に、それ以外の領域に位置情報・周波数対応テーブル２２が配置されている。
【００３３】
図６は、ＲＯＭに格納されている位置情報・周波数対応テーブルの一部を示したものである。位置情報・周波数対応テーブル２２は、個々の地域を表わす位置情報３１と、これらの地域で使用される周波数帯域３２とを１対１に対応付けしたものである。ここで、たとえば［第１の位置］、［第２の位置］等の位置情報３１は、緯度や経度等の座標系で表わされる場合もあるし、○○湖、××空港等の特定の場所あるいは施設の名称で表わされる場合もある。周波数帯域３２には、使用される周波数を特定する固有の番号（ＦＩＤ：Frequency Identifier）が記されている。たとえば［ＦＩＤ：３０，３１］とは、ＦＩＤが“３０”あるいは“３１”として規定されている周波数帯域であり、［第１の位置］に対応するものとして表示されている。
【００３４】
図７は、この第２の実施例で携帯電話機の電源を投入した際の通信処理の流れを示したものである。ユーザによって携帯電話機１１Ａの電源が投入されると、図５に示した制御部１６Ａ内のＣＰＵ２１は、短距離無線部取得情報記憶領域２４に位置情報が存在するかどうかを判別する（ステップＳ２０１）。このような判別は、たとえば短距離無線部取得情報記憶領域２４に格納されているデータが“オール０”となっているかどうかによって判別する。この例の場合、工場出荷時あるいは図示しないリセットボタンが押されたときには、短距離無線部取得情報記憶領域２４のデータがクリアされて“オール０”になっている。これに対して、情報提供端末２８から携帯電話機１１Ａが現在位置する地域等に関する情報が取得されて位置情報・周波数対応テーブル２２に格納されている場合には、短距離無線部取得情報記憶領域２４のデータが“オール０”とはなっていない。そこで短距離無線部取得情報記憶領域２４のデータあるいはこのデータにおける位置情報に対応する箇所のデータをスキャンすることで、位置情報がすでに格納されているかどうかをチェックすることができる。もちろん、携帯電話機１１Ａによっては、位置情報を格納したとき、その旨のフラグを立てるようにしてもよい。
【００３５】
短距離無線部取得情報記憶領域２４に位置情報が格納されていた場合には（ステップＳ２０１：Ｙ）、図６に示した位置情報・周波数対応テーブル２２からその位置情報を周波数に変換する（ステップＳ２０２）。そして、その周波数で通信が可能であるかどうかをチェックする（ステップＳ２０３）。この結果、通信が可能であれば（Ｙ）、その周波数を使用して携帯電話機１１Ａの通信を開始する（ステップＳ２０４）。すなわち、たとえば海外旅行に行った先の空港で、短距離無線部１５から取得して保存した短距離無線部取得情報における位置情報を使用することで、新たな地域における通信をスムーズに開始することができる。
【００３６】
一方、ステップＳ２０１で短距離無線部取得情報記憶領域２４に位置情報が格納されていないことが判別された場合には（Ｎ）、前回使用周波数記憶領域２５に格納されている前回の正常に通信が終了した周波数の読み出しが行われる（ステップＳ２０５）。そして、その周波数が今回の通信に使用可能であるかどうかがチェックされる（ステップＳ２０６）。これが使用可能であれば（Ｙ）、前回使用周波数記憶領域２５に格納されている周波数を使用して通信が行われる（ステップＳ２０７）。ステップＳ２０３で変換後の周波数が使用できないと判別された場合にも（Ｎ）、ステップＳ２０５から同様の処理が行われる。
【００３７】
ところで、ステップＳ２０６で前回使用周波数記憶領域２５に格納されている周波数も通信に使用できないと判別された場合には（Ｎ）、その携帯電話機１１Ａで通信の可能な全周波数のサーチが行われ、通信可能な周波数が見つかったらその周波数で通信が行われる（ステップＳ２０８）。このサーチ時には、ステップＳ２０３およびステップＳ２０６で使用した周波数を予め対象外とすることができる。
【実施例３】
【００３８】
図８は、本発明の第３の実施例における携帯端末装置として、携帯電話機の回路構成の概要を表わしたものである。図８で図１と同一部分には同一の符号を付しており、これらの説明を適宜省略する。第３の実施例の携帯電話機１１Ｂは、アンテナ１２に接続された送受信部１３と、この送受信部１３が送受信に使用する基準位相周波数を発生させる周波数発生器１４と、携帯電話機１１Ｂの各部の制御を行う制御部１６Ｂを備えている。制御部１６Ｂ内にはＣＰＵ２１の他に、制御プログラムが格納されたＲＯＭ２３と、各種データを一時的に保存するＲＡＭ２６Ｂが配置されている。ＲＡＭ２６Ｂは、前回、正常に通話が終了した際の周波数を記憶する前回使用周波数記憶領域２５と、今までに全周波数をサーチして通信可能な周波数として検出された周波数をリスト形式で保持する不揮発性メモリからなる全周波数サーチリスト記憶領域５１を備えている。
【００３９】
図９は、この第３の実施例で携帯電話機の電源を投入した際の通信処理の流れを示したものである。ユーザによって携帯電話機１１Ｂの電源が投入されると、図８に示した制御部１６Ｂ内のＣＰＵ２１は、前回使用周波数記憶領域２５に格納されている前回の正常に通信が終了した周波数の読み出しが行われる（ステップＳ２２１）。そして、その周波数が今回の通信に使用可能であるかどうかがチェックされる（ステップＳ２２２）。これが使用可能であれば（Ｙ）、前回使用周波数記憶領域２５に格納されている周波数を使用して通信が行われる（ステップＳ２２３）。
【００４０】
これに対して、ステップＳ２２２で前回使用した周波数が今回使用できないと判別された場合には（Ｎ）、全周波数サーチリスト記憶領域５１に格納されている以前に全周波数サーチを行ったときにリストアップされた周波数で前回使用した周波数以外の周波数を読み出す（ステップＳ２２４）。そして、この中の周波数が今回使用可能であるかどうかをチェックする（ステップＳ２２５）。対象となる周波数が複数存在する場合には、最近リストに加えられたものから順に使用可能かをチェックしたり、使用頻度の高い順にチェックすることも有効である。
【００４１】
全周波数サーチリスト記憶領域５１に格納された周波数のいずれかで通信が可能であることが分かれば（ステップＳ２２５：Ｙ）、通信が可能であると判明した周波数を使用して通信が行われる（ステップＳ２２６）。これに対して、全周波数サーチリスト記憶領域５１に格納された全周波数が通信に使用できないとき（全周波数サーチリスト記憶領域５１に周波数が格納されていないときも含む。）には（ステップＳ２２５：Ｎ）、全周波数サーチが行われる（ステップＳ２２７）。そして、この結果、通信が可能であるとされる周波数を全周波数サーチリスト記憶領域５１にリスト形式で追加し（ステップＳ２２８）。その周波数を使用して通信を行う（ステップＳ２２９）。全周波数サーチリスト記憶領域５１は不揮発性メモリによって構成されているので、携帯電話機１１Ｂの電源が切れるような事態が発生してもその内容が保持される。したがって、ユーザが過去に行き来した地域では通信を迅速に開始することができる。
【００４２】
以上説明した各実施例では携帯電話機を使用して通信を行う場合を説明したが、ＰＨＳ（Personal Handy-phone System）、通信機能を備えたＰＤＡ（Personal Digital Assistant）あるいは通信機能を備えたノート型のパーソナルコンピュータ等の他の携帯端末装置について同様に本発明を適用することができる。
【００４３】
なお、第１の実施例では携帯電話機１１が情報提供端末２８から現在地の周波数帯域等の通話に必要な情報を取得することにしたが、これに限るものではない。たとえば短距離無線部１５を構成する非接触ＩＣを航空券あるいは国家間を走る列車の乗車券に組み込んで電子チケットとして使用する場合には、チェックインの際に目的地や乗り継ぎを行う地域をそれらの日時を示す情報と共に非接触ＩＣに取り込むようにしてもよい。チェックアウトの際に同様にその国または地域の周波数帯域等の通話に必要な情報を取り込むようにしてもよい。
【００４４】
また、第１の実施例の図３に示した制御では、第２の実施例の図７に示した制御と異なり、いきなり短距離無線部取得情報記憶領域２４から短距離無線部取得情報を読み出し（ステップＳ１２１）、その周波数で通信が可能であるかどうかをチェックすることにした（ステップＳ１２２）。これは、多くの場合、携帯電話機１１の使用によって短距離無線部取得情報記憶領域２４に情報が格納されている状態が多くなるので、位置情報が格納されているかどうかのチェックを省略することにしたためである。しかしながら、このような処理を行う代わりに、図７で示したように、まず短距離無線部取得情報記憶領域２４に位置情報が格納されているかどうかをチェックするようにしてもよい。
【００４５】
また、携帯電話機によっては短距離無線部取得情報記憶領域２４に格納されている情報の格納日時と、前回使用周波数記憶領域２５に格納されている前回の正常に通信が終了した周波数に関する情報の格納時刻を比較して、新しい方の情報を基にしてその周波数が使用できるかどうかをチェックするようにしてもよい。これにより、古い方の情報を採用することによる周波数選択の後戻りを防止することができる。
【図面の簡単な説明】
【００４６】
【図１】本発明の第１の実施例における携帯電話機の回路構成の概要を表わしたブロック図である。
【図２】第１の実施例の携帯電話機の短距離無線部取得情報記憶領域および前回使用周波数記憶領域の格納制御の様子を表わした流れ図である。
【図３】第１の実施例の携帯電話機の電源を投入した際の通信処理を示した流れ図である。
【図４】第１の実施例で地域ごとに異なる周波数帯域の受信信号を使用して検波出力を得る同期検波の原理を示した説明図である。
【図５】本発明の第２の実施例における携帯電話機の回路構成の概要を表わしたブロック図である。
【図６】第２の実施例でＲＯＭに格納されている位置情報・周波数対応テーブルの一部を示した説明図である。
【図７】第２の実施例で携帯電話機の電源を投入した際の通信処理の流れ図である。
【図８】本発明の第３の実施例における携帯電話機の回路構成の概要を表わしたブロック図である。
【図９】第３の実施例で携帯電話機の電源を投入した際の通信処理の流れ図である。
【符号の説明】
【００４７】
１１、１１Ａ、１１Ｂ  携帯電話機
１３  送受信部
１４  周波数発生器
１５  短距離無線部
１６、１６Ａ、１６Ｂ  制御部
２２  位置情報・周波数対応テーブル
２３、２３Ａ  ＲＯＭ
２４  短距離無線部取得情報記憶領域
２５  前回使用周波数記憶領域
２６、２６Ｂ  ＲＡＭ
２８  情報提供端末
５１  全周波数サーチリスト記憶領域
【図１】
0004461845.tif 000002
【図２】
0004461845.tif 000003
【図３】
0004461845.tif 000004
【図４】
0004461845.tif 000005
【図５】
0004461845.tif 000006
【図６】
0004461845.tif 000007
【図７】
0004461845.tif 000008
【図８】
0004461845.tif 000009
【図９】
0004461845.tif 000010